(57)【要約】      （修正有）【課題】階級章の安定した状態で使用できると共に着脱が容易にできる防刃防護胴衣を提供する。【解決手段】階級章の取り付けの所定位置に階級章より広面の下方固定用布製面ファスナーをメッシュ状生地に縫製する。次に上記面ファスナーと同一形状上方の面ファスナーにウレタンコート付きのポリエステル生地を裏合わせの二重折りとし、面ファスナーに上端部を縫製する。従って下方面部面ファスナーと上方面部面ファスナーは上端部を介して振り分け状に展開する。而して上方面ファスナーは蓋状に覆設される。次に上方面ファスナー所定の階級章取り付け位置２箇所に孔を穿設し該孔部を構成したものであって該孔部に階級章の取り付け足部を挿着し螺着する。【選択図】図１
0003145909.tif 000002
【実用新案登録請求の範囲】
【請求項１】
身体の上半身を凶刃から防護する超高力化学繊維のメッシュ状織物で縫製した防刃防護胴衣において、
該、防刃防護胴衣の前身頃左胸上部に定設された階級章の着脱機能を別体の新規な着脱機構を用いた防刃防護胴衣。
【考案の詳細な説明】
【技術分野】
【０００１】  本考案は要人の警備、強悪事件の発生現場等で保安任務に携わる警察官、機動隊員等が着用して自己の身体を護るために用いる胴衣に関するものである。
【背景技術】
【０００２】  従来から、この種の防刃防護胴衣は多種類が開発され、現今においては、特許第２５３４５１０号意匠登録第１００８２５２号等が開示され、広域で利用されている。【０００３】  更に、本件出願人が実用新案登録第３０５３４３５号で開示した「防弾防刃転用自在なベスト」においては、警察官等が勤務中常時着用できる極めて簡易なベスト体であり、現在は着用を必須とされている。【０００４】  上記のように職務中に着用を義務化されている防刃防護用胴衣であるが、着用時及び職務終了時においては該胴衣の前身頃の左胸上部位に各自の階級章が左右の２本の螺でメッシュ状繊維に２箇所の孔を設け螺着されている。該階級章の面倒な着脱を余儀なくされている。
【考案の開示】
【考案が解決しようとする課題】
【０００５】  上記のように横長の板状の左右の端部に２本のボルトを溶着し甚だ不安定なメッシュ状生地に孔を設けて皿状ナットで螺着することは、ばたつきを有し重量を有する階級章が前後左右にぶれる実態を有する。従って階級章の安定した状態で使用できると共に着脱が容易にできることを課題とするものである。
【課題を解決するための手段】
【０００６】  上述のように階級章の取り付けの所定位置に階級章より広面の下方固定用布製面ファスナー（Ｂ面）をメッシュ状生地に縫製する。次に上記面ファスナーと同一形状上方の面ファスナーにウレタンコート付きのポリエステル生地を裏合わせの二重折りとし、下方面ファスナー（Ａ面）に上端部を縫製する。【０００７】  従って下方面部面ファスナー（Ｂ面）と上方面部面ファスナー（Ａ面）は上端部を介して振り分け状に展開する。而して上方面ファスナー（Ａ面）は蓋状に覆設される。【０００８】  次に上方面ファスナー所定の階級章取り付け位置２箇所に孔を穿設し該孔部を構成したものであって該孔部に階級章の取り付け足部を挿着し螺着するものである。
【実施例】
【０００９】  防刃防護胴衣（１）の所定位置に階級章（２）を取着する場合に本考案では、別体の新規な着脱機構を使用するものであって、階級章（２）を別体の面ファスナー２枚を使用する。始めに防護胴衣（１）の所定の階級章（２）の取付け位置へ布製下方面状ファスナーのＢ面（３）を上面として縫着する。次に上方面ファスナー（４）の所定位置に階級章（２）の２本の足部（ボルト）の挿入孔（５）を穿設する。更に下方面ファスナーＢ面（３）と上方面ファスナー（４）の上端部を逢着し振子状に上方面ファスナー（４）が開鎖自在に動揺する。階級章（２）を螺着後は上方面ファスナーと下方面ファスナーの（Ａ面とＢ面）を合着させる構成としたものである。
【図面の簡単な説明】
【００１０】
【図１】  本考案の防刃防護胴衣布の平面説明図である。
【図２】  本考案の階級章の着脱を容易とする別体の着脱機構を表した説明図である。
【符号の説明】
１…防刃防護胴衣
２…階級章取付け部位
３…下方面状ファスナー
４…上方面状ファスナー
５…階級章の足部の挿入孔。
【図１】
0003145909.tif 000003
【図２】
0003145909.tif 000004
【手続補正書】
【提出日】平成20年5月29日(2008.5.29)
【手続補正１】
【補正対象書類名】実用新案登録請求の範囲
【補正対象項目名】全文
【補正方法】変更
【補正の内容】
【実用新案登録請求の範囲】
【請求項１】
身体の上半身を凶刃から防護する超高力化学繊維のメッシュ状織物で縫製した防刃防護胴衣において、
該、防刃防護胴衣の前身頃左胸上部に定設された階級章の着脱機能を新規な着脱方式を用いた防刃防護胴衣。
【手続補正２】
【補正対象書類名】明細書
【補正対象項目名】全文
【補正方法】変更
【補正の内容】
【考案の詳細な説明】
【技術分野】
【０００１】  本考案は要人の警備、強悪事件の発生現場等で保安任務に携わる警察官、機動隊員等が着用して自己の身体を護るために用いる胴衣に関するものである。
【背景技術】
【０００２】  従来から、この種の防刃防護胴衣は多種類が開発され、現今においては、特許第２５３４５１０号意匠登録第１００８２５２号等が開示され、広域で利用されている。【０００３】  更に、本件出願人が実用新案登録第３０５３４３５号で開示した「防弾防刃転用自在なベスト」においては、警察官等が勤務中常時着用できる極めて簡易なベスト体であり、現在は着用を必須とされている。【０００４】  上記のように職務中に着用を義務化されている防刃防護用胴衣であるが、着用時及び職務終了時においては該胴衣の前身頃の左胸上部位に各自の階級章が左右の２本の螺でメッシュ状繊維に２箇所の孔を設け螺着されている。該階級章の面倒な着脱を余儀なくされている。
【考案の開示】
【考案が解決しようとする課題】
【０００５】  上記のように横長の板状の左右の端部に２本のボルトを溶着し甚だ不安定なメッシュ状生地に孔を設けて皿状ナットで螺着することは、ばたつきを有し重量を有する階級章が前後左右にぶれる実態を有する。従って階級章の安定した状態で使用できると共に着脱が容易にできることを課題とするものである。
【課題を解決するための手段】
【０００６】  上述のように階級章の取り付けの所定位置に階級章より広面の下方固定用布製面ファスナー（Ｂ面）をメッシュ状生地に縫製する。次に上記面ファスナーと同一形状上方の面ファスナーにウレタンコート付きのポリエステル生地を裏合わせの二重折りとし、下方面ファスナー（Ａ面）に上端部を縫製する。【０００７】  従って下方面部面ファスナー（Ｂ面）と上方面部面ファスナー（Ａ面）は上端部を介して振り分け状に展開する。而して上方面ファスナー（Ａ面）は蓋状に覆設される。【０００８】  次に上方面ファスナー所定の階級章取り付け位置２箇所に孔を穿設し該孔部を構成したものであって該孔部に階級章の取り付け足部を挿着し螺着するものである。
【実施例】
【０００９】  防刃防護胴衣（１）の所定位置に階級章（２）を取着する場合に本考案では、階級章（２）を新規な別体の面ファスナー２枚を使用する。始めに防護胴衣（１）の所定の階級章（２）の取付け位置へ布製下方面状ファスナーのＢ面（３）を上面として縫着する。次に上方面ファスナー（４）の所定位置に階級章（２）の２本の足部（ボルト）の挿入孔（５）を穿設する。更に下方面ファスナーＢ面（３）と上方面ファスナー（４）の上端部を逢着し振子状に上方面ファスナー（４）が開鎖自在に動揺する。階級章（２）を螺着後は上方面ファスナーと下方面ファスナーの（Ａ面とＢ面）を合着させる構成としたものである。
【図面の簡単な説明】
【００１０】
【図１】  本考案の防刃防護胴衣布の平面説明図である。
【図２】  本考案の階級章の着脱を容易とする別体の新規な方式を表した説明図である。
【符号の説明】
【００１１】１…防刃防護胴衣
２…階級章取付け部位
３…下方面状ファスナー
４…上方面状ファスナー
５…階級章の足部の挿入孔。
【手続補正書】
【提出日】平成20年7月28日(2008.7.28)
【手続補正１】
【補正対象書類名】実用新案登録請求の範囲
【補正対象項目名】全文
【補正方法】変更
【補正の内容】
【実用新案登録請求の範囲】
【請求項１】
身体の上半身を凶刃から防護する超高力化学繊維のメッシュ状織物で縫製した防刃防護胴衣に於いて、
上方面ファスナーと下方面ファスナーの各上端部を縫製し、
上方面ファスナーの所定の位置に階級章の２本の足部の挿入孔を穿設し、
下方面ファスナーを防刃防護胴衣の前身左胸上部に縫着したことを特徴とする
防刃防護胴衣。